(57)【要約】【課題】ＤＶＤユニットとビデオカセットユニットを同一筐体に内装したオーディオ・ビデオ複合機器において、シールド板を設けずに、作動装置から発生するノイズの影響を減らす。【解決手段】ビデオカセットデッキ８と筐体１の底板パネル１ａとの間に、ＤＶＤ作動装置５、ビデオ作動装置１０を実装した両面基板１３を配置する。ＤＶＤ作動装置５は、ビデオカセットデッキ８の下方に位置する。ビデオカセットデッキ８の金属製シャーシと筐体１の金属製底板パネル１ａとにＤＶＤ作動装置５が囲まれることにより、電磁シールドされる。ＤＶＤ作動装置５から発生するノイズが遮蔽され、ビデオカセットデッキ８に影響を及ぼさない。【選択図】　図２
2004134017.tif 000002
【特許請求の範囲】
【請求項１】
筐体に、複数の機器が内装され、前記機器を構成する作動装置が基板に搭載され、ノイズを発生する作動装置が、前記筐体のパネルと前記機器を形成するシャーシとの間に位置して電磁シールドされたことを特徴とするオーディオ・ビデオ複合機器。
【請求項２】
筐体に、各種の記録媒体に対応して複数の駆動デッキおよび作動装置と、電源装置とが内装され、前記作動装置および電源装置が基板に搭載され、該基板は、前記筐体と少なくとも１つの前記駆動デッキとの間に配置され、ノイズを発生する作動装置が、前記筐体のパネルと前記駆動デッキのシャーシとに囲まれて電磁シールドされたことを特徴とするオーディオ・ビデオ複合機器。
【請求項３】
筐体に、ＤＶＤデッキ、ビデオカセットデッキ、ＤＶＤ作動装置、ビデオカセット作動装置および電源装置が内装され、両作動装置および電源装置が少なくとも１枚の両面基板に搭載され、前記ＤＶＤ作動装置を搭載した前記両面基板は、前記筐体と前記ビデオカセットデッキとの間に配置され、前記ＤＶＤ作動装置のうちノイズを発生する回路は、前記ビデオカセットデッキの下方に位置して、前記筐体の導電性パネルと前記ビデオカセットデッキの導電性シャーシとに囲まれて電磁シールドされたことを特徴とするオーディオ・ビデオ複合機器。
【発明の詳細な説明】
【０００１】
【発明の属する技術分野】
本発明は、例えばＤＶＤビデオレコーダとビデオカセットレコーダ等の複数の機器を組み合わせて搭載したオーディオ・ビデオ複合機器に関する。
【０００２】
【従来の技術】
ＤＶＤビデオレコーダ、ビデオカセットレコーダ、テレビ等の複数の機器を一体化したオーディオ・ビデオ複合機器では、１つの機器から発生したノイズが他の機器に悪影響を及ぼすことがある。
【０００３】
例えばＤＶＤユニットとビデオカセットユニットを一体的に備えたオーディオ・ビデオ複合機器の場合、映像信号を処理するための回路を備えたＤＶＤ作動装置から発生する高周波のノイズがビデオカセットユニットのビデオヘッドにより拾われ、正常に録画できなくなる。
【０００４】
このようなノイズの影響を低減するために、図３、４に示すように、筐体１内にＤＶＤユニット２とビデオカセットユニット３とが分離して設置される。そして、ＤＶＤユニット２では、ＤＶＤデッキ４の下方に、信号処理回路、マイコン等を有するＤＶＤ作動装置５を搭載したプリント基板６が配される。ＤＶＤデッキ４のシャーシは合成樹脂製であるので、電磁シールドの機能はない。そこで、ＤＶＤ作動装置５の周囲にはシールド板７が設けられ、さらにプリント基板６のＤＶＤ作動装置５の搭載面とは反対側の下面にもシールド板７が設けられる。したがって、ＤＶＤ作動装置５は、ビデオカセットユニット３から離れて位置し、しかもシールド板７により取り囲まれているので、ビデオカセットユニット３に対するＤＶＤ作動装置５から発生するノイズの影響を少なくすることができる。
【０００５】
ビデオカセットユニット３では、ビデオカセットデッキ８の下方にプリント基板９が配され、この上にビデオ記録再生回路、マイコン等を有するビデオカセット作動装置１０が配置される。ＤＶＤユニット２の後方には、プリント基板に搭載された電源装置１１が配される。ＤＶＤユニット２と電源装置１１が前後方向に並んでいるので、筐体１の奥行きが大となる。そこで、ＤＶＤユニット２とビデオカセットユニット３との間に、筐体１の強度を保つために補強板１２が設けられる。また、ビデオカセット作動装置１０と電源装置１１およびＤＶＤ作動装置５とは、フレキシブルフラットケーブルやリード線によって接続される。
【０００６】
また、他の従来例として、特許文献１では、ＤＶＤユニットの上方、前方、側方を複数の磁気遮蔽板で覆って電磁シールドを行い、さらに磁気遮蔽板を筐体の補強部材として機能させている。
【０００７】
【特許文献１】
特開２００２−５０１７１号公報（段落００３４、図３）
【０００８】
【発明が解決しようとする課題】
従来の構造では、ユニットごとに分離して配置されているので、電磁シールドのためにＤＶＤ作動装置に対するシールド板を設け、さらに補強板も設ける必要がある。そのため、部品点数が増え、組立作業の工数も増加してコストアップとなる。
【０００９】
しかも、それぞれ異なる基板に搭載された各ユニットの作動装置や電源装置を電気的に接続するために、補強板を乗り越えるように配線しなければならない。
その結果、配線が長くなり、材料費が増えるとともに、組立作業の工数も増加する。また、配線が長くなると、ノイズが出やすくなる。特に、ＤＶＤ作動装置からの配線では、ノイズの発生が顕著である。そのため、フェライトコア等の部品を付けて、ノイズ対策を施す必要が生じ、部品点数および組立作業の工数の増加を招く。
【００１０】
本発明は、上記に鑑み、部品点数を増やすことなく、既存の部材を利用して、電磁シールドを行い、しかも補強板を不要にできる構造のオーディオ・ビデオ複合機器を提供することを目的とする。
【００１１】
【課題を解決するための手段】
本発明による課題解決手段は、筐体に、複数の機器が内装され、前記機器を構成する作動装置が基板に搭載され、ノイズを発生する作動装置が、前記筐体のパネルと前記機器を形成するシャーシとの間に位置して電磁シールドされたものである。
【００１２】
すなわち、ノイズに対する筐体のパネルおよび機器のシャーシのシールド性を利用して、作動装置を筐体のパネルと機器のシャーシとによって囲むことにより、作動装置から発生するノイズが遮蔽される。したがって、機器へのノイズの影響を減らすことができる。ここで、作動装置を電磁シールドする機器は、この作動装置によって構成される機器とは異なる機器とする。
【００１３】
また、作動装置を搭載する基板として両面基板を使用すれば、高密度実装が可能となり、基板サイズを小さくでき、筐体を小さくできる。そのため、筐体の補強が必要なくなる。なお、パネル、シャーシは、導電性を有する材料から形成するのが好ましく、金属製あるいは導電性の合成樹脂製とされ、ノイズに対するシールド効果を高めることができる。パネル、シャーシが導電性を有しない材料からなる場合、パネル、シャーシに、導電性シートを貼り付けたり、あるいは導電性塗料による皮膜を形成するとよい。
【００１４】
オーディオ・ビデオ機器は、記録媒体の駆動デッキと、該駆動デッキを駆動制御するとともに記録媒体に対する信号処理を行うための作動装置とを有するものである。各機器の作動装置および電源装置が基板に搭載され、該基板は、前記筐体と少なくとも１つの機器との間に配置される。そして、ノイズを発生する作動装置が、筐体のパネルと前記機器のシャーシとに囲まれて電磁シールドされる。
すなわち、ノイズ発生源の作動装置は、１つの機器あるいは複数の機器に覆われる。なお、基板は、機器と筐体との間であれば、機器の下方、上方、側方、後方のいずれに配置されてもよい。
【００１５】
このような構造によって、ノイズ発生源の作動装置とノイズの影響を受ける駆動デッキあるいは作動装置との間には、少なくとも１つ以上のシャーシが介在することになる。その結果、ノイズはシャーシによって遮蔽され、他の駆動デッキあるいは作動装置に対するノイズの影響が減る。
【００１６】
具体的な例としては、筐体に、ＤＶＤデッキ、ビデオカセットデッキ、ＤＶＤ作動装置、ビデオカセット作動装置および電源装置が内装されたオーディオ・ビデオ複合機器の場合、両作動装置および電源装置が少なくとも１枚の両面基板に搭載され、該両面基板は、前記筐体と前記ビデオカセットデッキとの間に配置され、ノイズの発生源となるＤＶＤ作動装置は、前記ビデオカセットデッキの下方に位置して、前記筐体の導電性パネルと前記ビデオカセットデッキの導電性シャーシとに囲まれて電磁シールドされる。
【００１７】
このように、ビデオカセットデッキの下方にある空間を利用して、両面基板を配置し、ＤＶＤ作動装置、中でもノイズを発生する信号処理回路をビデオカセットデッキの下方に位置させる。ビデオカセットデッキのシャーシのシールド効果によって、ＤＶＤ作動装置の回路からのノイズを遮蔽でき、シールド板無しで十分な電磁シールドを行える。また、既設の基板設置スペースを利用するので、筐体が高くなることはない。
【００１８】
【発明の実施の形態】
本発明の一実施形態のオーディオ・ビデオ複合機器を図１、２に示す。本複合機器は、ＤＶＤユニット２およびビデオカセットユニット３の２つの機器を備え、筐体１に各ユニット２、３および電源装置１１が内装されている。
【００１９】
筐体１は、導電性を有する金属製の底板パネル１ａ、天板パネル１ｂと、合成樹脂製のフロントパネル１ｃとから構成される。底板パネル１ａは、底板と背板とを一体にしたものである。天板パネル１ｂは、上板と左右の側板とを一体にしたものである。各パネル１ａ、１ｂ、１ｃが互いにねじ止めされて、筐体１が組み立てられる。
【００２０】
ＤＶＤユニット２は、ＤＶＤの再生あるいは記録再生を行うＤＶＤデッキ４と、ＤＶＤデッキ４を駆動制御するとともにＤＶＤに対する信号処理を行うためのＤＶＤ作動装置５とを有する。ビデオカセットユニット３は、ビデオカセットの記録再生を行うビデオカセットデッキ８と、ビデオカセットデッキ８を駆動制御し、ビデオカセットに対する信号処理を行うとともに複合機器全体の制御も司るビデオ作動装置１０とを有する。
【００２１】
ＤＶＤデッキ４は、合成樹脂製のシャーシにモータ等の機構部および光ピックアップ等の光学部を内蔵した構造とされる。ＤＶＤデッキ４が、筐体１内部において右側に配置され、そのシャーシが筐体１にねじ等によって固定される。ビデオカセットデッキ８は、上面および背面が開放された金属製シャーシの上面にモータ等の機構部およびヘッド等の記録再生部が搭載された構造とされる。そして、ビデオカセットデッキ８は、筐体１内部において左側に配置され、そのシャーシが筐体１にねじ等によって固定される。各作動装置５、１０は、再生あるいは記録のために映像信号を処理する信号処理回路と、機構部あるいは光学部や信号処理回路等を制御するマイコンとを有する。
【００２２】
ＤＶＤデッキ４およびビデオカセットデッキ８と筐体１の底板との間には、空間が形成され、この空間に両面基板１３が配置され、底板にねじ等によって取り付けられる。両面基板１３には、ＤＶＤ作動装置５、ビデオ作動装置１０、電源装置１１およびアース回路等のその他の回路が実装されている。
【００２３】
両面基板１３は、ビデオカセットデッキ８の下方からＤＶＤデッキ４の左側一部の下方にかけて位置する。両面基板１３の上面に、ＤＶＤ作動装置５、ビデオ作動装置１０、電源装置１１が搭載される。高周波のノイズを発生するＤＶＤ作動装置５は、ビデオカセットデッキ８の下方に位置する。特に、ノイズ発生源である信号処理回路は、ビデオカセットデッキ８の導電性を有するシャーシの直下に配置する。ノイズを発生しない他の回路は、ビデオカセットデッキ８に覆われない位置に配置してもよい。
【００２４】
ビデオ作動装置１０は、ＤＶＤ作動装置５よりも左側寄りにビデオカセットデッキ８の下方に位置する。電源装置１１は、ＤＶＤデッキ４およびビデオカセットデッキ８に覆われることのない後側に位置する。なお、ＤＶＤ作動装置５やビデオ作動装置１０は、同じ位置であれば、両面基板１３の下面に搭載されてもよい。
【００２５】
上記の構造にすることによって、ＤＶＤ作動装置５は、上方をビデオカセットデッキ８の導電性を有するシャーシに覆われ、下方を筐体１の導電性を有する底板パネル１ａに覆われる。したがって、ＤＶＤ作動装置５が、これらのシャーシと底板により囲まれて、電磁シールドされる。ＤＶＤ作動装置５から発生した高周波のノイズが遮蔽され、ビデオカセットデッキ８のヘッドに悪影響を及ぼすことを防げる。しかも、両面基板１３にアース回路を形成することにより、発生するノイズを軽減できる。
【００２６】
そして、両面基板１３を使用することによって、基板１枚当たりの実装面積を大きくできる。これにより、従来少なくとも３枚の基板が必要であったものが、１枚の基板で用が足りることになる。したがって、機器全体におけるトータルの基板サイズを小さくすることが可能となり、筐体１の奥行き寸法を小さくできる。このように、機器の小型化を図れるので、輸送コストを低減できる。
【００２７】
また、従来のような補強板を設けなくても、筐体の強度を十分に確保でき、補強板が不要となる。しかも、同じ基板上に各作動装置５、１０や電源装置１１を搭載するので、これらを接続する配線も不要となり、これに伴ってノイズ抑制用の部品も不要になる。以上のように、基板を１枚にすることにより、部品点数を削減でき、コストダウンを図れる。
【００２８】
なお、本発明は、上記実施形態に限定されるものではなく、本発明の範囲内で上記実施形態に多くの修正および変更を加え得ることは勿論である。ＤＶＤ作動装置は、ビデオカセットデッキと筐体の間に位置すればよいので、ビデオカセットデッキの側方に位置してもよく、ビデオカセットデッキのシャーシと筐体の側板とに囲まれて電磁シールドされる。
【００２９】
複合機器における機器としては、ＤＶＤビデオレコーダ、ビデオカセットレコーダ以外にテレビ、ハードディスクビデオレコーダ、ＣＤプレーヤ、ミニディスクプレーヤ、半導体メモリ用リードライタがある。これらを２種類以上組み合わせて、複合機器を構成してもよい。そして、ノイズを発生するチューナ等を搭載した基板を導電性のシャーシを有する機器と筐体との間に配置して、電磁シールドする。また、基板は、２つ以上の機器に覆われるように配置してもよい。
【００３０】
【発明の効果】
以上の説明から明らかな通り、本発明によると、ノイズを発生する信号処理回路等の作動装置を機器のシャーシと筐体のパネルとの間に配置することにより、導電性を有するシャーシやパネルといった既存の部材によって電磁シールドを行うことができる。したがって、シールド板を別途設ける必要がなくなり、部品点数を減らすことができる。また、両面基板を用いることによって、別々に配置していた各機器の作動装置を同じ基板に搭載することができるようになり、作動装置を設置するためのスペースを小さくすることができる。したがって、筐体を小さくでき、機器の小型化を図ることができる。
【図面の簡単な説明】
【図１】本発明の一実施形態のＤＶＤとビデオカセットの複合機器の内部構造を示す平面図
【図２】同じく正面図
【図３】従来のＤＶＤとビデオカセットの複合機器の内部構造を示す平面図
【図４】同じく正面図
【符号の説明】
１　　筐体
２　　ＤＶＤユニット
３　　ビデオカセットユニット
４　　ＤＶＤデッキ
５　　ＤＶＤ作動装置
８　　ビデオカセットデッキ
１０　　ビデオ作動装置
１１　　電源装置
１３　　両面基板
【図１】
2004134017.tif 000003
【図２】
2004134017.tif 000004
【図３】
2004134017.tif 000005
【図４】
2004134017.tif 000006